(57)【要約】【課題】情報端末装置において、ファイル属性情報の視認性に優れしかも簡単な操作でファイル情報を閲覧することができるようにする。【解決手段】属性情報を表示部に表示する際、表示部にファイル情報毎に属性情報を表示するための少なくとも一辺が凹設された窓枠部３４が規定される。簡易表示が選択されると、窓枠部に属性情報としてファイル情報の名称を表示し、詳細表示が選択されると、ファイル情報名に加えて、第１の付加情報を属性情報として窓枠部に関連付けて窓枠部のエリア外に表示する。そして、コントロールスイッチ部の押圧操作毎に簡易表示及び詳細表示とが切り替え制御され、コントロールスイッチ部が予め定められた時間以上押圧されると、カーソルが位置する窓枠部に対応するファイル情報が読み出されて表示部に表示される。【選択図】　　　図５
2004062646.tif 000002
【特許請求の範囲】
【請求項１】
ファイル情報と該ファイル情報に関する複数の属性情報とを表示部に表示可能な情報端末装置において、
前記表示部に少なくとも一辺を凹設した窓枠を少なくとも１以上表示する窓枠表示制御手段と、
前記属性情報を少なくとも１以上前記窓枠内に表示する属性情報簡易表示制御手段と、
前記属性情報を前記属性情報簡易表示制御手段の表示数よりも多く前記窓枠内及び前記窓枠の表示範囲外とに表示する属性情報詳細表示制御手段とを備え、
前記属性情報簡易表示制御手段と前記属性情報詳細表示制御手段とを選択的に動作させることにより前記属性情報を表示することを特徴とする情報端末装置。
【請求項２】
前記属性情報詳細表示制御手段は、前記窓枠の凹設した位置に対応する前記表示範囲外に前記属性情報を表示するようにしたことを特徴とする請求項１に記載の情報端末装置。
【請求項３】
前記窓枠は、第１の所定の幅を有する第１の表示エリアと前記第１の所定の幅よりも狭い第２の所定の幅を有する第２の表示エリアからなることを特徴とする請求項１又は２に記載の情報端末装置。
【請求項４】
前記第１の表示エリア前記ファイル情報に係るアイコンを表示するアイコン表示制御手段を備えたことを特徴とする請求項３に記載の情報端末装置。
【請求項５】
前記アイコン表示制御手段は、前記属性情報簡易表示制御手段が動作している際には、前記第１の表示エリアに第１のサイズの前記アイコンを表示し、前記属性情報詳細表示制御手段が動作している際には、前記第１の表示エリアに前記第１のサイズより小さい第２のサイズの前記アイコンを表示することを特徴とする請求項４に記載の情報端末装置。
【請求項６】
前記情報端末装置に配置した揺動又は回動操作可能且つ押圧操作可能なコントロールスイッチを備え、
前記コントロールスイッチの押圧操作により前記属性情報簡易表示制御手段と前記属性情報詳細表示制御手段とを選択的に動作させることを特徴とする請求項１〜５のいずれかに記載の情報端末装置。
【請求項７】
前記情報端末装置に配置した揺動又は回動操作可能且つ押圧操作可能なコントロールスイッチを備え、
前記コントロールスイッチの揺動又は回動操作に応じて前記表示部に表示する前記少なくとも１以上の窓枠に対してカーソルの移動を行い、
前記コントロールスイッチの第１の態様の押圧操作に応じて前記属性情報簡易表示制御手段と前記属性情報詳細表示制御手段とを選択的に動作させるとともに、前記コントロールスイッチの第１の態様以外の第２の態様の押圧操作に応じて前記カーソルが位置している前記窓枠内に表示されている前記属性情報に対応する前記ファイル情報を前記表示部に表示することを特徴とする請求項１〜５のいずれかに記載の情報端末装置。
【請求項８】
ファイル情報と該ファイル情報に関する複数の属性情報とを表示部に表示可能な情報端末装置上で動作する表示制御プログラムであって、
前記表示部に少なくとも一辺を凹設した窓枠を少なくとも１以上表示する窓枠表示制御ステップと、
前記属性情報を少なくとも１以上前記窓枠内に表示する属性情報簡易表示制御ステップと、
前記属性情報を前記属性情報簡易表示制御手段の表示数よりも多く前記窓枠内及び前記窓枠の表示範囲外とに表示する属性情報詳細表示制御ステップとを備え、
前記属性情報簡易表示制御ステップと前記属性情報詳細表示制御ステップとを選択的に動作させることにより前記属性情報を表示する選択制御ステップを有することを特徴とする表示制御プログラム。
【発明の詳細な説明】
【０００１】
【発明の属する技術分野】
本発明は、蓄積された複数のファイル情報毎に当該ファイル情報に関する属性情報を表示させる情報端末装置に関し、特に、このような機能を有する携帯情報端末装置（Ｐｅｒｓｏｎａｌ　Ｄｉｇｉｔａｌ　Ａｓｓｉｓｔａｎｔ：ＰＤＡ）において、画面表示制御を行うための画面表示制御装置及びこれに用いられる表示制御プログラムに関するものである。
【０００２】
【従来の技術】
一般に、情報端末装置では、メモリ等に複数のファイル情報を記憶しており、これらファイル情報を適宜ディスプレイ等の表示部に表示して閲覧できるようになっている。そして、閲覧の際には、まず、ファイル情報毎の属性情報（例えば、ファイル名称、ファイルサイズ、ファイルの種類、ファイルの作成年月日等）を示すファイル属性一覧を表示部に表示して、ユーザはこのファイル属性一覧を参照して所望のファイル情報を選択して、当該ファイル情報を表示部に呼び出している。
【０００３】
上述のようなファイル属性一覧を表示する手法として、例えば、特開２０００−７６１０９公報（以下従来例１と呼ぶ）には、ディレクトリ一覧として、ドキュメント毎にアイコン、ドキュメント名、及び年月日時刻をウィンドウに表示するようにしている（例えば、従来例１の公報記載の図１０参照）。
【０００４】
さらに、特開２０００−９２４３９公報（以下従来例２と呼ぶ）では、画像一覧表示用ファイルを用いて、画像検索画面によって検索用表示画面を表示することが記載されており、ここでは、検索用画面に、例えば、タイトルを表示するとともに、属性情報として画像番号、撮影日時、及び場所を表示するようにしている。
【０００５】
なお、特開２００１−１７５５１５公報には、ファイル毎に利用者のファイルに対する重要度をもたせて、予め指定した当該重要度にリンクした表示形式、文字色、文字サイズ、及び文字フォントで各ファイルを表示することが記載されている。また、特開平９−４４３２７号公報には、ファイル名の一覧を、ファイル名が背表紙に記載された帳簿を本棚に収納した状態でメニュー画面として表示することが記載されている。
【０００６】
さらに、特開２００２−７２９９１公報には、ディスプレイ表示されたサムネイル表示の視認性を向上させて、サムネイルの属性を分類・識別するため、サムネイルファイルの表示枠を縁取り、この縁取りパターンとサムネイル画像とを合成して表示することが記載されている。
【０００７】
加えて、特開２０００−２５９３１２公報には、ファイル一覧として表示する際、ファイルデータサイズに応じてファイル名の大きさを異ならせて表示することが示されている。
【０００８】
【発明が解決しようとする課題】
ところで、上述の従来例１では、ディレクトリ一覧として、ドキュメント毎にアイコン、ドキュメント名、及び年月日時刻を表示しているものの、単に、ドキュメント毎にアイコン、ドキュメント名、及び年月日時刻を羅列して表示しているにすぎず、ファイル（従来例１ではドキュメント）を検索する際の視認性が劣るという課題がある。
【０００９】
つまり、ファイル属性情報を単に羅列表示しているにすぎないから、ファイル属性情報から所望のファイル情報を検索する際、所望のファイル情報を確認しづらいという課題がある。そして、ＰＤＡのように出先等のモバイル環境で用いられる情報端末装置では、携帯性を確保するために、不可避的に表示画面を小さくせざるを得ず、このため、従来例１のような表示制御では、ますますその視認性が劣ってしまうという課題がある。さらに、ＰＤＡ等では、表示画面が小さい関係上、ファイル毎に全ての属性情報を表示させることが困難であり、この点においても、従来例１ではその操作性が悪いという課題がある。
【００１０】
従来例２においても、検索用画面に、タイトルを表示するとともに、属性情報として画像番号、撮影日時、及び場所を羅列的に表示しているにすぎず、従来例と同様に、視認性及び操作性が悪いという課題がある。
【００１１】
なお、ファイルデータサイズに応じてファイル名の大きさを異ならせても、ファイル名が大きくなったファイル情報についてはその視認性が良好になるとしても、他のファイル名はその視認性が悪くなってしまう。そして、ＰＤＡ等では、表示画面が小さい関係上、ファイル名の大きさを変更すると、その操作性が悪くなってしまう。
【００１２】
本発明の目的は、ファイル属性情報の視認性に優れしかも操作性のよい情報端末装置及び表示制御プログラムを提供することにある。
【００１３】
【課題を解決するための手段】
本発明によれば、ファイル情報と該ファイル情報に関する複数の属性情報とを表示部に表示可能な情報端末装置において、前記表示部に少なくとも一辺を凹設した窓枠を少なくとも１以上表示する窓枠表示制御手段と、前記属性情報を少なくとも１以上前記窓枠内に表示する属性情報簡易表示制御手段と、前記属性情報を前記属性情報簡易表示制御手段の表示数よりも多く前記窓枠内及び前記窓枠の表示範囲外とに表示する属性情報詳細表示制御手段とを備え、前記属性情報簡易表示制御手段と前記属性情報詳細表示制御手段とを選択的に動作させることにより前記属性情報を表示することを特徴とする情報端末装置が得られる。
【００１４】
本発明では、前記属性情報詳細表示制御手段は、前記窓枠の凹設した位置に対応する前記表示範囲外に前記属性情報を表示する。
【００１５】
本発明では、前記窓枠は、第１の所定の幅を有する第１の表示エリアと前記第１の所定の幅よりも狭い第２の所定の幅を有する第２の表示エリアからなっている。
【００１６】
本発明では、前記第１の表示エリア前記ファイル情報に係るアイコンを表示するアイコン表示制御手段を備えている。
【００１７】
本発明では、前記アイコン表示制御手段は、前記属性情報簡易表示制御手段が動作している際には、前記第１の表示エリアに第１のサイズの前記アイコンを表示し、前記属性情報詳細表示制御手段が動作している際には、前記第１の表示エリアに前記第１のサイズより小さい第２のサイズの前記アイコンを表示する。
本発明では、前記情報端末装置に配置した揺動又は回動操作可能且つ押圧操作可能なコントロールスイッチを備え、前記コントロールスイッチの押圧操作により前記属性情報簡易表示制御手段と前記属性情報詳細表示制御手段とを選択的に動作させる。
【００１８】
本発明では、前記情報端末装置に配置した揺動又は回動操作可能且つ押圧操作可能なコントロールスイッチを備え、前記コントロールスイッチの揺動又は回動操作に応じて前記表示部に表示する前記少なくとも１以上の窓枠に対してカーソルの移動を行い、前記コントロールスイッチの第１の態様の押圧操作に応じて前記属性情報簡易表示制御手段と前記属性情報詳細表示制御手段とを選択的に動作させるとともに、前記コントロールスイッチの第１の態様以外の第２の態様の押圧操作に応じて前記カーソルが位置している前記窓枠内に表示されている前記属性情報に対応する前記ファイル情報を前記表示部に表示する。
【００１９】
本発明によれば、ファイル情報と該ファイル情報に関する複数の属性情報とを表示部に表示可能な情報端末装置上で動作する表示制御プログラムであって、前記表示部に少なくとも一辺を凹設した窓枠を少なくとも１以上表示する窓枠表示制御ステップと、前記属性情報を少なくとも１以上前記窓枠内に表示する属性情報簡易表示制御ステップと、前記属性情報を前記属性情報簡易表示制御手段の表示数よりも多く前記窓枠内及び前記窓枠の表示範囲外とに表示する属性情報詳細表示制御ステップとを備え、前記属性情報簡易表示制御ステップと前記属性情報詳細表示制御ステップとを選択的に動作させることにより前記属性情報を表示する選択制御ステップを有することを特徴とする表示制御プログラムが得られる。
【００２０】
【発明の実施の形態】
以下本発明について図面を参照して説明する。なお、図示の例における構成部品の寸法、材質、形状、その相対配置などは特に特定的な記載がない限りは、この発明の範囲をそれのみに限定する趣旨ではなく単なる説明例に過ぎない。
【００２１】
まず、図１を参照して、ここでは、情報端末装置として携帯情報端末装置を例にあげて説明する。
【００２２】
図示の携帯情報端末装置（ＰＤＡ）は、ユーザが手のひらに把持できる大きさであり、外装ケース１１の前面にはほぼその全面にわたってタッチパネル１２ａを備える液晶パネル１２が配置されている（タッチパネル１２ａは、例えば、液晶パネル１２の表面に配置されている）。さらに、外装ケース１１には、後述するように、コントロールスイッチ（以下サイドコントローラと呼ぶ）１３、エスケープスイッチ１４、電源オン／オフスイッチ（以下電源スイッチと呼ぶ）１５、メモリカード等の外部メモリ媒体や、通信カード等の通信機器や、外部ハードディスク等の外部装置が挿入される挿入スロット１６、充電やパソコンとの各種データの送受信等を行う際に用いられる外部接続ターミナル１７、及びタッチペン（スタイラスペン）１８を収納するための収納部１９等が設けられている。
【００２３】
図１に示すように、サイドコントローラ１３、エスケープスイッチ１４、及び電源スイッチ１５は外装ケース１１の側面に一列に配置されており、図示の例では、図中上側から順にサイドコントローラ１３、エスケープスイッチ１４、及び電源スイッチ１５の順に配置されている。そして、外装ケース１１を液晶パネル１２が正面にくるようにして、例えば、ＰＤＡを左手で把持した際に、左手の親指が位置する可能性が高い位置にサイドコントローラ１３は配置される。
【００２４】
サイドコントローラ１３の上側には外方向に延びる突起部１１ａが形成されており、サイドコントローラ１３の一部は外装ケース１１の側面から露出している。サイドコントローラ１１は図中実線矢印Ａで示す方向（上下方向）に所定の範囲で揺動可能に、外装ケース１１の正面（前面）から裏面方向に延びる軸体（図示せず）に支持されるとともに、軸体に直交する方向（図中側面から内側に向かう方向）に押圧可能（実線矢印Ｂ）に支持されている。そして、サイドコントローラ１３の露出面には、例えば、波形の突起状部１３ａが形成されている。
【００２５】
前述のように、サイドコントローラ１３は、例えば、左手親指で揺動操作又は押圧操作される。この際、左手親指は突起状部１３ａに触れることになり、容易にサイドコントローラ１３を揺動させることができる。サイドコントローラ１３は操作されない状態においては所定の位置（以下基準位置と呼ぶ）に位置しており、左手親指で基準位置から上方向に揺動すると、所定の揺動量だけサイドコントローラ１３は揺動してそれ以上揺動しない。そして、左手親指をサイドコントローラ１３から放すと（つまり、サイドコントローラ１３を揺動するための力をなくすと）、サイドコントローラ１３は自動的に基準位置に復帰する。同様に、左手親指で基準位置から下方向に揺動すると、所定の揺動量だけサイドコントローラ１３は揺動してそれ以上回動しない。そして、左手親指をサイドコントローラ１３から放すとサイドコントローラ１３は自動的に基準位置に復帰する。なお、押圧操作は基準位置においてのみ行うことができるが、上下の揺動位置において押圧操作可能としてもよい。
【００２６】
このように、左手親指をサイドコントローラ１３から放せば、サイドコントローラ１３は基準位置に復帰するから、容易に揺動操作を行うことができることになり、しかも、押圧操作は常に基準位置で行われるから、押圧操作も行いやすい。また、この所定の揺動量に制限された揺動操作は、前述の従来技術の略一回転近く回転可能なダイヤル等の回転操作と比較して、操作する親指に必要な移動距離を極めて少なく抑えることができる。結果として、親指への負担を著しく少なく済ますことができ、操作性が極めてよいという特長がある。
【００２７】
また、前述の回転操作可能なダイヤルの操作では、親指で目一杯、例えば、右方向に回動させた状態では、その後、直ちに押圧操作がしづらいため、一旦親指をダイヤルの略真中に戻す作業が必要となるので、サイドコントローラ１３の押圧操作も回転可能なダイヤルの押圧操作と比較して、操作性が極めてよいという特長を有する。サイドコントローラ１３は前述の揺動操作又は押圧操作に応じて操作信号を送出し、この操作信号に応じて、後述するように、各種処理が実行される。
【００２８】
前述のように、サイドコントローラ１３の下側にはエスケープスイッチ１４が配置され、エスケープスイッチ１４の下側には、電源スイッチ１５が配置され、電源スイッチ１５の表面には複数の点状突起が形成されている。そして、これらサイドコントローラ１３、エスケープスイッチ１４、及び電源スイッチ１５は、例えば、左手親指で操作できる位置に配置される。なお、図示の例では、エスケープスイッチ１４は押圧操作され（実線矢印Ｃ）、これによって、エスケープ（ＥＳＣ）信号が送出され、後述するようにして、エスケープ動作が行われる。電源スイッチ１５はスライド操作（実線矢印Ｄ）される（図中上側に押し上げると電源オンとなり、電源スイッチ１５は元の位置に戻る。そして、電源オンの状態で上側に押し上げると電源オフとなり、電源スイッチ１５は元の位置に戻る）。
【００２９】
外部接続ターミナル１７によって、図示のＰＤＡは、例えば、データ通信機能を有する充電装置（所謂クレイドル装置）と接続されて、ＰＤＡの内蔵する充電電池への充電やパーソナルコンピュータ等とデータの送受信が可能となる。液晶パネル１２は、例えば、カラー液晶ディスプレイであり、必要に応じてバックライトが備えられる。タッチパネル１２ａは、例えば、タッチペン１８でタッチ（タップ）した際、その接触位置（タッチ位置）や接触軌跡等を検出するタッチセンサを有している。
【００３０】
次に、図２を参照して、図示のＰＤＡは、中央処理装置（ＣＰＵ）２１を有しており、ＲＯＭ等の記憶部２２に格納された制御プログラムに応じてＰＤＡ全体の制御を行うとともに、記憶部２２に格納されたアプリケーションプログラム（単にアプリケーションともいう）に応じて後述する各種処理を実行する。なお、アプリケーションプログラムは、挿入スロット１６に挿入される外部メモリ媒体からや外部より通信により取り込まれる場合もある。さらに、ＣＰＵ２１にはＲＡＭ等の書き込み・読み出し可能な記憶部２２ａが接続されている（記憶部２２ａは電源がオフされてもその記憶した内容は消去されない）。
【００３１】
図示のように、ＣＰＵ２１にはサイドコントローラ操作検出部２３を介してサイドコントローラ１３が接続されるとともに、エスケープスイッチ操作検出部２４を介してエスケープスイッチ１４が接続される。さらに、ＣＰＵ２１には電源スイッチ操作検出部２５を介して電源スイッチ１５が接続されている。また、ＣＰＵ２１にはタッチパネル操作検出部２６を介してタッチパネル１２ａが接続されるとともに、液晶パネル駆動部２７を介して液晶パネル１２が接続されている。
【００３２】
図示のＰＤＡにはメール送受信部（メール送受信機能）２８が備えられており（前述の挿入スロット１６に挿入される通信カード等に備えてもよい）、このメール送受信部２８はＣＰＵ２１に接続されている。そして、メール送受信部２８は、例えば、携帯電話機等の通信機器（図示せず）や前述の通信カード等と接続されて、通信機器を介してメールの送受を行う。そして、メールの送信及び受信の都度、ＣＰＵ２１は送信メール及び受信メールを記憶部２２ａに記録する。これら送信メール及び受信メールは、記憶部２２ａから読み出して閲覧することができる。
【００３３】
いま、ＰＤＡが電源オフ状態である際に、電源スイッチ１５が押し上げ操作されると、電源スイッチ操作検出部２５ではこの押し上げ操作を検知して電源スイッチ１５操作信号をＣＰＵ２１に与える。ＣＰＵ２１では電源スイッチ操作信号に応答して、ＰＤＡを電源オン状態とする。そして、電源がオンとなると、ＣＰＵ２１は液晶パネル駆動部２７を駆動制御して液晶パネル１２上にアプリケーションプログラム（アプリケーション）の一つである初期画面（メニュー画面、以下このメニュー画面をランチャ画面と呼ぶ）を表示する。
【００３４】
ランチャ画面には、メニュー項目（選択項目）として、例えば、メール、ブラウザ、アドレス帳、スケジュール、メモ帳、ファイルビューア、システム、及び設定等がアイコンとともに表示される。つまり、記憶部２２にはこれらメニュー項目に関するアプリケーションプログラム（アプリケーションソフト）が格納されていることになる。ランチャ画面の下側にはツールバーが表示され、上側には、有用情報として年月日及び時刻が表示される。
【００３５】
サイドコントローラ１３を基準位置から上側に操作（揺動）すると、サイドコントローラ操作検出部２３ではこの上側操作を検知して、上側操作信号をＣＰＵ２１に与える。これによって、ＣＰＵ２１は、ランチャ画面においてカーソルを上側に移動させることになる。また、サイドコントローラ１３を基準から下側に操作すると、サイドコントローラ操作検出部２３ではこの下側操作を検知して、下側操作信号をＣＰＵ２１に与える。
【００３６】
これによって、ＣＰＵ２１は、ランチャ画面においてカーソルを下側に移動させることになる。そして、メニュー項目の一つにカーソルを位置づけて、サイドコントローラ１３を押圧すると、サイドコントローラ操作検出部２３ではこの押圧操作を検知して、押圧操作信号をＣＰＵ２１に与える。これによって、ＣＰＵ２１は、カーソルが位置するメニュー項目を選択して、この選択したメニュー項目に係るアプリケーションプログラムが起動されて、当該メニュー項目に係る操作画面に遷移する。
【００３７】
いま、ランチャ画面において、タップ操作又はサイドコントローラ操作によって、例えば、ファイルビューアを選択すると、ファイル選択画面が表示される。そして、タップ操作又はサイドコントローラ操作によってファイル選択画面から所望のファイルを選択すると、当該ファイル中のファイル情報に係る属性情報を示すファイル属性情報一覧画面（図３参照）が液晶パネル１２に表示される。
【００３８】
なお、ここで、ファイルとは、各メールが格納されたファイル、各スケジュールが格納されたファイル、及び各メモが格納されたファイル、その他ＰＤＡ又はパソコンで作成した種々のファイル等を示すものとし、これらファイルに格納された情報をファイル情報と呼んでいる。そして、これらファイルは、例えば、記憶部２２ａや挿入スロット１６に挿入されている外部メモリ媒体等に格納されている。このファイル属性情報一覧画面から所望のファイル属性情報をタップ操作又はサイドコントローラ操作によって選択すると、当該ファイル属性情報に関するファイル内容（ファイル情報）が画面表示される。
【００３９】
このファイル属性情報一覧画面には、図３（簡易表示）に示すようにタイトルバー３１及びタスクバー３２が表示されており、ウィンドウ表示部３３には、選択されたファイル中のファイル情報毎に属性情報が表示される。ＣＰＵ２１はファイル属性情報一覧表を表示する際、つまり、ファイル選択画面からファイル属性情報一覧表に遷移する際、ウィンドウ表示部３３に図中上下方向に沿って所定の間隔で少なくとも一つの窓枠部３４を表示する（この窓枠部３４の数はファイル中のファイル情報の数によって決定される）。そして、ＣＰＵ２１は窓枠部３４毎にファイル情報の属性情報を表示する。
【００４０】
なお、ファイル選択画面からファイル属性情報一覧画面に遷移した際には、ＣＰＵ２１は、図３のような後述する簡易表示を行う。また、ファイル属性情報一覧画面には、図３に示すように、タッチ操作等により簡易表示への表示切替を行う操作ボタン３７と、同じくタッチ操作等により後述する詳細表示への表示切替を行う操作ボタン３７とが表示される。これら２つの操作ボタンを操作することにより図３の簡易表示と後述する図５の詳細表示とを切り替えすることができる。
【００４１】
各窓枠部３４は少なくとも一辺が凹設されており、図示の例では、２辺が凹設されている。具体的には、図３に示すように、各窓枠部３４は、図中上下方向に第１の所定の幅を有し右方向に延びる第１の表示エリア３４ａと、この第１の表示エリア３４ａに連続して右方向に延び、前記第１の所定の幅よりも狭い第２の所定の幅を有する第２の表示エリア３４ｂとを有している。例えば、第１の表示エリア３４ａの幅は２行分の幅であり、第２の表示エリアの幅は１行分の幅である。
【００４２】
ＣＰＵ２１ではファイル選択画面で選択されたファイルに応じて記憶部２２ａ等をアクセスして、当該選択ファイルに含まれる属性情報中のファイル情報名を得て、このファイル情報名３５を第２の表示エリア３４ｂに表示する。この際、第１の表示エリア３４ａには当該ファイル情報名３５に係るアイコン３６が２行分にわたって表示される。
【００４３】
図４を参照すると、上述のようにして、ファイル選択画面から所望のファイルを選択すると（ステップＳ１）、ＣＰＵ２１は簡易表示モードを実行して（ステップＳ２）、選択ファイル中に含まれるファイル情報に係るファイル情報名をそれぞれ窓枠部３４の第２の表示エリア３４ｂに表示するとともに、当該ファイル情報名３５に係るアイコン３６を第１の表示エリア３４ａに表示する。
【００４４】
このように、ファイル情報毎に窓枠部３４を規定して、各窓枠部３４にファイル情報名を表示するようにしたから、ユーザは容易にファイル情報を視認できることになる。
【００４５】
上述の状態で、サイドコントローラ１３を揺動操作すると、揺動方向に応じて、ＣＰＵ２１はカーソル（図示せず）を移動させる。そして、ＣＰＵはカーソルが位置する窓枠部３４の背景色を他の窓枠部３４と異ならせる。例えば、カーソルが位置する窓枠部３４の背景色を薄いオレンジ色とする（他の窓枠部３４の背景色は無色である）。
【００４６】
このようにして、カーソルを移動させて、所望の窓枠部３４をフォーカスした後、サイドコントローラ１３を押し込むと（ステップＳ３）、ＣＰＵ２１は当該押し込みが予め定められた時間以上であるか否かを判定する（ステップＳ４）。サイドコントローラ１３の押し込みが予め定められた時間以上であると、ＣＰＵ２１はこの押し込みに応じて当該窓枠部３４に対応するファイル情報（つまり、属性情報に対応するファイル情報）を記憶部２２ａ等から読み出して、液晶パネル１２上に表示する（ステップＳ５）。
【００４７】
なお、ファイル情報を閲覧後、終了ボタン（図示せず）をタップ操作するか又はエスケープスイッチ１４を押すと（ステップＳ６）、ＣＰＵ２１は前述のファイル属性情報一覧画面に復帰する（ステップＳ７）。
【００４８】
一方、ユーザが、ファイル情報を閲覧する前に、属性情報を詳細に見たい場合には、サイドコントローラ１３を揺動操作して所望のファイル情報名に係る窓枠部３４にカーソルを位置づけ、サイドコントローラ１３を押し込み操作する（この押し込み操作は前述の予め定められた時間よりも短い）。つまり、ステップＳ４において、サイドコントローラ１３の押し込みが予め定められた時間未満であると、ＣＰＵ２１はこの押し込み操作によって、図５に示す詳細表示モードに移行して（ステップＳ８）、カーソルが位置する窓枠部３４に対応するファイル情報の他の属性情報（以下付加情報と呼ぶ）を記憶部２２ａから読み出して表示する。
【００４９】
この付加情報には、例えば、第１及び第２の付加情報があり、図示の例では、第１の付加情報はファイル情報のサイズを示すサイズ情報であり、第２の付加情報はファイル情報が記憶された（作成された）年月日時を示す日付情報である。
【００５０】
図５に示す詳細表示画面にて、第１及び第２の付加情報を表示すべく、ＣＰＵ２１は、詳細表示が選択された窓枠部３４においてアイコン３６を、例えば、略１行分に縮小して、又は略１行分のサイズのアイコン３６を表示して、第１の表示エリア３４ａにおいてアイコン３６の下側に第２の付加情報を表示する。さらに、ＣＰＵ２１では、第１の表示エリア３４ａの下辺の延長線と第２の表示エリア３４ｂの右辺の延長線で規定される窓枠部３４のエリア外を第３の表示エリア３４ｃとして前述第１の付加情報を表示する。また、アイコン３６を、図３の簡易表示モードと同様に２行分のサイズで表示し、その左側に第２の付加情報を表示するようにしてもよい。
【００５１】
このようにして、詳細表示モードに移行すると、属性情報を詳細に表示することになって、ユーザはファイル情報についてその属性情報を詳細にみることができ、これによって、閲覧前に、該当ファイル情報についてさらに確認することができる。
【００５２】
なお、前述のように、アイコン３６を略１行分のサイズで表示して第１の表示エリア３４ａに第２の付加情報を表示し、第１及び第２の表示エリア３４ａ及び３４ｂで規定されるエリア外を第３の表示エリア３４ｃとして第１の付加情報を表示するようにしているから、詳細表示モードに移行しても、属性情報を表示するためのエリアが実質的に増加することがない。図５の詳細表示画面には、図３の簡易表示画面と同様にタッチ操作等により、簡易表示画面への表示切替を行う操作ボタン３７と、タッチ操作等により詳細表示画面への表示切替を行う操作ボタン３８とが表示される。そして、これら２つの操作ボタンの操作により、簡易表示画面と詳細表示画面とを切替表示することができる。
【００５３】
図４を再度参照し、詳細表示モードに移行した後、サイドコントローラ１３を押し込むと（ステップＳ９）、ＣＰＵ２１は当該押し込みが予め定められた時間以上であるか否かを判定する（ステップＳ１０）。サイドコントローラ１３の押し込みが予め定められた時間以上であると、前述したように、ＣＰＵ２１はこの押し込みに応じてフォーカスされた窓枠部３４に対応するファイル情報（つまり、属性情報に対応するファイル情報）を記憶部２２ａ等から読み出して、液晶パネル１２上に表示する。
【００５４】
ステップＳ１０において、サイドコントローラ１３の押し込むが予め定められた時間未満であると、ＣＰＵ２１は簡易表示モード移行する。さらに、窓枠部３４がタッチ操作されると、ＣＰＵ２１は当該窓枠部に対応するファイル情報を記憶部２２ａから読み出して液晶パネル１２に表示するようにしてもよい。
【００５５】
以上の説明から明らかなように、ＣＰＵ２１は窓枠表示制御手段、属性情報表示制御手段、簡易表示・詳細表示切り替え制御手段、カーソル移動制御手段、及びファイル読み出し手段として機能することになる。
【００５６】
以上のように、ファイル属性情報を表示部に表示する際、表示部にファイル情報毎に属性情報を表示するための少なくとも一辺が凹設された窓枠部を規定して、簡易表示が選択されると、窓枠部にファイル属性情報としてファイル情報の名称をファイル情報名として表示し、詳細表示が選択されると、ファイル情報名に加えて予め規定された第１の付加情報を属性情報として窓枠部に関連付けて窓枠部のエリア外に表示するようにしたので、ファイル属性情報を詳細に確認することもでき、その結果、ファイル属性情報の視認性に優れているという効果がある。そして、窓枠部の凹設外エリアに第１の付加情報を表示するようにしたので、実質的に表示領域が大きくなることがない。
【００５７】
詳細表示が選択されると窓枠部内に所定の第２の付加情報を属性情報として表示するようにしたので、窓枠部内を有効に利用できるという効果がある。
【００５８】
窓枠部が所定の幅を有する第１の表示エリアと、第１の表示エリアに連続して所定の幅よりも狭い幅を有する第２の表示エリアとを有し、第２の表示エリアにファイル情報名を表示し、第１の表示エリアにファイル情報に係るアイコンを表示して、詳細情報が選択されると、アイコンを縮小して第１の表示エリアに第２の付加情報を表示し、第１の表示エリアと第２の表示エリアとで規定されるエリア外を第３の表示エリアとして第１の付加情報を表示するようにしたので、窓枠部を有効に利用して、しかも実質的に表示エリアが増大しないという効果がある。
【００５９】
情報端末装置筐体の側面に配置され、側面に対して平行な軸に対して所定の範囲で揺動可能に支持されるとともに軸に対して直交する方向に押圧可能なコントロールスイッチ部を備えて、コントロールスイッチ部の押圧操作毎に、簡易表示選択及び詳細表示選択とを切り替え制御するとともに、コントロールスイッチ部の揺動操作に応じて表示部上でカーソルを移動させるようにしたから、容易に簡易表示又は詳細表示を選択することができ、しかも操作性が向上するという効果がある。
【００６０】
カーソルでフォーカスされた窓枠部の背景色を他の窓枠部と変化させるようにしたので、選択した窓枠部が容易に視認できるという効果がある。
【００６１】
コントロールスイッチ部が予め定められた時間以上押圧されると、カーソルが位置する窓枠部に対応するファイル情報をメモリ機能から読み出して、表示部に表示するようにしたので、コントロールスイッチ部のみを用いて簡易表示及び詳細表示の選択、ファイル情報の読み出しを行うことができる結果、モバイル環境等における操作性が向上するという効果がある。
【００６２】
本発明では、窓枠部がタッチ操作されると、当該窓枠部に対応するファイル情報をメモリ機能から読み出して表示部に表示するようにしたので、コントロールスイッチ部の操作又はタッチ操作を選択的に用いることができ、操作性が向上するという効果がある。
【００６３】
【発明の効果】
以上説明したように、本発明によれば、情報端末装置において、ファイル属性情報の視認性を良好にすることができるばかりでなく、操作性を向上させることができるという効果がある。
【図面の簡単な説明】
【図１】本発明による携帯情報端末装置の一例の外観を示す斜視図である。
【図２】図１に示す携帯情報端末装置で用いられる制御系の一例を示すブロック図である。
【図３】図１に示す携帯情報端末装置において簡易表示を選択した際に表示されるファイル属性情報一覧画面の一例を示す図である。
【図４】図１に示す携帯情報端末装置における簡易表示及び詳細表示制御を説明するためのフロー図である。
【図５】図１に示す携帯情報端末装置において詳細表示を選択した際に表示されるファイル属性情報一覧画面の一例を示す図である。
【符号の説明】
１１　外装ケース
１２　液晶パネル
１３　コントロールスイッチ（サイドコントローラ）
１４　エスケープスイッチ
１５　電源オン／オフスイッチ（電源スイッチ）
１６　挿入スロット
１７　外部接続ターミナル
１８　タッチペン（スタイラスペン）
１９　収納部
２１　中央処理装置（ＣＰＵ）
２２　記憶部
２３　サイドコントローラ操作検出部
２４　エスケープスイッチ操作検出部
２５　電源スイッチ操作検出部
２６　タッチパネル操作検出部
２７　液晶パネル駆動部
【図１】
2004062646.tif 000003
【図２】
2004062646.tif 000004
【図３】
2004062646.tif 000005
【図４】
2004062646.tif 000006
【図５】
2004062646.tif 000007